(57)【特許請求の範囲】
【請求項１】
フレームに対するキャブ搭載位置を、基本車型に比べて前方へ移動させ且つ上昇させる派生車型用のフレームの前端部分に、フレーム前方へ向けて延び且つ上方へ突出する構造体を設け、
該構造体に基本車型用のキャブ周辺部材を締結したことを特徴とする車両のフレーム構造。
【請求項２】
キャブ周辺部材がキャブマウントブラケットである請求項１に記載の車両のフレーム構造。
【請求項３】
キャブ周辺部材がバンパーブラケットである請求項１に記載の車両のフレーム構造。
【発明の詳細な説明】
【技術分野】
【０００１】
本発明は車両のフレーム構造に関するものである。
【背景技術】
【０００２】
自動車には、基本車型とこれをベースとした派生車型がある。例えば、後輪駆動車の前軸を駆動車軸に変更した全輪駆動車は、代表的派生車型である。そして、その変更範囲は車軸のみではなく、車軸変更に付随して影響を受ける全ての部品に影響を及ぼす。
【０００３】
キャブオーバトラックにおいては、基本車型である後輪駆動車から派生車型である全輪駆動車を生産する場合、フレームに対するキャブ搭載位置を移動させる必要があり、これに伴って、フレーム前端部分に支持される全てのキャブ周辺部品も変更されることになる。
【０００４】
図２は、基本車型としての後輪駆動車のキャブ搭載位置の一例を示すもので、１はフレーム、９は、フレーム１に搭載したキャブ、１０は、フレーム１に懸架した前輪、Ｆ／Ａはフロントアクスル中心線である。
【０００５】
図３は、基本車型としての後輪駆動車のフレーム前端部分の一例を示すもので、２は、フレーム１の前端部分上面にボルト締結したキャブマウントブラケット、３は、フレーム１の前端面にボルト締結したバンパーブラケット、４は、フレーム１の前端部分外側面にボルト締結した牽引用のフックであり、前記バンパーブラケット３には、フック４の鉤部４ａが入り込む開口３ａが形成されている。
【０００６】
そして、キャブマウントブラケット２に、キャブ９を装着し、また、バンパーブラケット３に、バンパー５を装着している。このバンパー５には、フック４に係合させるワイヤロープを挿通するための開口５ａが形成されている。
【０００７】
図３において、Ｌ1は、フロントアクスル中心線Ｆ／Ａからキャブマウントブラケット２のトルクチューブ２ａ中心までの水平距離、Ｌ2は、前記フロントアクスル中心線Ｆ／Ａからバンパー５の前面までの水平距離、Ｈ1は、フレーム１の上面からキャブマウントブラケット２のトルクチューブ２ａ中心までの高さ、Ｈ2は、フレーム１の上面からバンパー５の上縁までの高さを表している。
【０００８】
図４は、派生車型としての全輪駆動車のキャブ搭載位置の一例を示すもので、図中、図２と同一の符号を付した部分は同一物を表している。この全輪駆動車は、基本車型の後輪駆動車と同型のキャブをフレーム１に搭載している。全輪駆動車は、フロントアクスルにもディファレンシャルギヤが装備されるので、二点鎖線で示す後輪駆動車のキャブ９の搭載と比べて、フレーム１に対するキャブ９の搭載位置を、水平距離α前方へ移動させるとともに、フレーム１上面を基準に高さβ上昇させて、前記ディファレンシャルギヤとキャブ９との間にあるエンジン（図示せず）が、キャブ９と干渉することを防いでいる。
【０００９】
図５は、派生車型としての全輪駆動車のフレーム前端部分の従来例を示すもので、６は、フレーム１の前端部分上面にボルト締結したキャブマウントブラケット、７は、フレーム１の前端面にボルト締結したバンパーブラケットである。そして、キャブマウントブラケット６に、キャブ９を装着し、また、バンパーブラケット７に、バンパー５を装着している。これら派生車型用のキャブマウントブラケット６、及びバンパーブラケット７は、図２における基本車型用のキャブマウントブラケット２、及びバンパーブラケット３とは形状が相違する。
【００１０】
すなわち、図３におけるフロントアクスル中心線Ｆ／Ａからキャブマウントブラケット６のトルクチューブ６ａ中心までの水平距離は、Ｌ1＋αとなり、フレーム１の上面からキャブマウントブラケット６のトルクチューブ６ａ中心までの高さは、Ｈ1＋βとなる。
【００１１】
また、フレーム１に対するキャブ９の搭載位置が上記のように変わるため、後輪駆動車と比べて、フレーム１に対するバンパー５の取付位置を、フロントアクスル中心線Ｆ／Ａを基準に水平距離α前方へ移動させるとともに、フレーム１上面を基準に高さβ上昇させて、バンパー５とキャブ９との相対位置の整合性を保っている。
【００１２】
すなわち、図３におけるフロントアクスル基準線Ｆ／Ａからバンパー５の前面までの距離は、Ｌ2＋αとなり、フレーム１の上面からバンパー５の上縁までの高さは、Ｈ2＋βとなる。
【００１３】
これにより、図３における全輪駆動車のキャブ９とバンパー５との相対位置は、図２における後輪駆動車のキャブ９とバンパー５の相対位置と同様になる。
【００１４】
なお、自動車のフレームの前端部分への支持部材、及び部品の取り付けに関連する先行技術文献情報としては、下記の特許文献１等がある。
【先行技術文献】
【特許文献】
【００１５】
【特許文献１】特許第３９１９６２６号公報
【発明の概要】
【発明が解決しようとする課題】
【００１６】
上述した基本車型の後輪駆動車と派生車型の全輪駆動車は、キャブは同型であるものの、派生車型用の支持部材であるキャブマウントブラケット６やバンパーブラケット７は、基本車型用の支持部材であるキャブマウントブラケット２やバンパーブラケット３と形状が相違し、部材の共通化が図られていない。これは、ステアリングギヤボックス用のブラケット、エアコンユニット用のブラケットも同様である。
【００１７】
また、図２においてフレーム１の側面にボルト締結していたフック４は、派生車型の車両では、フレーム１に上方へ突出し且つ前方へ延びるブラケットを新設し、このブラケットにフック４を取り付けるようにしないと、フレーム１に対するフック４の取付位置を、フロントアクスル中心線Ｆ／Ａを基準に水平距離α前方へ寄せることや、フレーム１上面を基準に高さβ上昇させることができない。
【００１８】
このため、生産台数が多い基本車型用の支持部材とは別途に、生産台数が少ない全輪駆動車用の支持部材を用意しなければならず、部品種類が増え、生産コストが高くなってしまう。
【００１９】
本発明は上述した実情に鑑みてしたもので、基本車型用の支持部材を、派生車型の車両に用いることが可能な車両のフレーム構造を提供することを目的としている。
【課題を解決するための手段】
【００２０】
上記目的を達成するため、請求項１に記載の発明は、
フレームに対するキャブ搭載位置を、基本車型に比べて前方へ移動させ且つ上昇させる派生車型用のフレームの前端部分に、フレーム前方へ向けて延び且つ上方へ突出する構造体を設け、
該構造体に基本車型用のキャブ周辺部材を締結している。
【００２１】
請求項２に記載の発明は、
キャブ周辺部材をキャブマウントブラケットとしている。
【００２２】
請求項３に記載の発明は、
キャブ周辺部材をバンパーブラケットとしている。
【発明の効果】
【００２３】
本発明の車両のフレーム構造によれば、下記のような優れた作用効果を奏し得る。
【００２４】
（１）請求項１に記載の発明では、基本車型用のキャブ周辺部材を、派生車型用のフレームに設けた構造体に締結するので、基本車型用のキャブ周辺部材を、派生車型の車両にも用いることができる。よって、生産台数が少ない派生車型の車両のために形状が異なるキャブ周辺部材を用意する必要がなくなる。このため、部品種類が減り、組立時に作業者がキャブ周辺部材を車型ごとに確認せずともよくなり、生産コストが低くなる。
【００２５】
（２）請求項２に記載の発明では、基本車型用のキャブマウントブラケットを、派生車型用のフレームに設けた構造体に締結するので、基本車型用のキャブマウントブラケットを、派生車型の車両にも用いることができる。よって、生産台数が少ない派生車型の車両のために形状が異なるキャブマウントブラケットを用意する必要がなくなる。このため、部品種類が減り、組立時に作業者がキャブマウントブラケットを車型ごとに確認せずともよくなり、生産コストが低くなる。
【００２６】
（３）請求項３に記載の発明では、基本車型用のバンパーブラケットを、派生車型用のフレームに設けた構造体に締結するので、基本車型用のバンパーブラケットを、派生車型の車両にも用いることができる。よって、生産台数が少ない派生車型の車両のために形状が異なるバンパーブラケットを用意する必要がなくなる。このため、部品種類が減り、組立時に作業者がバンパーブラケットを車型ごとに確認せずともよくなり、生産コストが低くなる。
【００２７】
請求項３に記載の発明では、フレーム上面から構造体上面までの高さを、基本車型に比べた派生車型のフレームに対するキャブ搭載位置の上昇量に等しく設定したので、上下方向への位置調整をせずに、キャブマウントブラケットを構造体上面に締結することができる。
【図面の簡単な説明】
【００２８】
【図１】本発明のフレーム構造を適用した派生車型としての全輪駆動車のフレーム前端部分の一例を示す概念図である。
【図２】基本車型としての後輪駆動車のキャブ搭載位置を示す概念図である。
【図３】基本車型としての後輪駆動車のフレーム前端部分の一例を示す概念図である。
【図４】派生車型としての全輪駆動車のキャブ搭載位置を示す概念図である。
【図５】派生車型としての全輪駆動車のフレーム前端部分の従来例を示す概念図である。
【発明を実施するための形態】
【００２９】
以下、本発明の実施の形態を図面に基づき説明する。
【００３０】
図１は本発明の車両のフレーム構造を適用した派生車型としての全輪駆動車のフレーム前端部分の一例を示すもので、図中、図２〜図４と同一符号を付した部分は同一物を表している。この全輪駆動車は、基本車型の後輪駆動車と同型のキャブ９をフレーム１に搭載し、該フレーム１の前端部分に、構造体８を設けている。キャブマウントブラケット２、及びバンパーブラケット３は、図３に示す基本車型で用いたものと同型である。
【００３１】
構造体８は、フレーム１を上方から覆う上板８ａと、フレーム１を前方から覆う前端板８ｂと、フレーム１を外側方から覆う外側板８ｃとを備え、該外側板８ｃは、フレーム１の前端部分外側面にボルト締結されている。
【００３２】
フレーム１上面から構造体８の上板８ａ上面までの高さβは、基本車型と比べた派生車型のフレーム１に対するキャブ９の搭載位置の上昇量に等しく設定してあり、また、フレーム１前端面から構造体８の前端板８ｂの前面までの水平距離αは、基本車型と比べた派生車型のフレーム１に対するキャブ９の搭載位置の移動量に等しく設定してある。
【００３３】
そして、構造体８の上板８ａにキャブマウントブラケット２を、フロントアクスル基準線Ｆ／Ａからキャブマウントブラケット２のトルクチューブ２ａ中心までの水平距離が、Ｌ1＋αとなるようにボルト締結し、構造体８の前端板８ｂにバンパーブラケット３を、フレーム１の上面からバンパー５の上縁までの高さが、Ｈ2＋βとなるようにボルト締結し、構造体８の外側板８ｃにフック４をボルト締結する。
【００３４】
フレーム１の上面から構造体８の上板８ａ上面までの高さβを、基本車型と比べた派生車型のフレーム１に対するキャブ９の搭載位置の上昇量に等しくしたので、フレーム１の上面からキャブマウントブラケット２のトルクチューブ２ａ中心まで高さは、自ずとＨ1＋βになり、ワッシャ等の機械要素を用いてキャブマウントブラケット２の上下位置を調整する必要はない。
【００３５】
フレーム１の前端面から構造体８の前端板８ｂ前面までの水平距離αを、基本車型と比べた派生車型のフレーム１に対するキャブ９の搭載位置の移動量に等しく設定したので、フロントアクスル基準線Ｆ／Ａからバンパー５の前面までの水平距離は、自ずとＬ2＋αになり、ワッシャ等どの機械要素を用いてバンパーブラケット３の前後位置を調整する必要はない。
【００３６】
また、構造体８の外側板８ｃにフック４をボルト締結するので、フック４を取り付けるためのブラケットを新設する必要がなく、基本車型と比べてフック４の取付位置を、フロントアクスル中心線Ｆ／Ａを基準に水平距離α前方へ移動させるとともに、フレーム１上面を基準に高さβ上昇させることができる。
【００３７】
このように、図１に示すフレーム構造では、派生車型の車両に用いるフレーム１の前端部分に設けた構造体８に、基本車型用のキャブマウントブラケット２、及びバンパーブラケット３を、前記フレームに搭載されるキャブの位置に合わせて締結する、という構成を採ったので、基本車型用のキャブマウントブラケット２、及びバンパーブラケット３を、派生車型の車両にも用いることができる。
【００３８】
よって、生産台数が少ない派生車型の車両のために形状が異なるキャブマウントブラケット６や、バンパーブラケット７（図５参照）を用意する必要がなく、部品種類が減り、生産コストが低くなる。
【００３９】
なお、本発明の車両のフレーム構造は、上述した実施の形態のみに限定されるものではなく、構造体に締結されるキャブ周辺部材のブラケットは、バンパーブラケット以外のステアリングギヤボックス用のブラケットやエアコンユニット用のブラケット等でもよく、本発明の要旨を逸脱しない範囲において変更を加え得ることは勿論である。
【符号の説明】
【００４０】
１    フレーム
２    キャブマウントブラケット（キャブ周辺部材）
３    バンパーブラケット（キャブ周辺部材）
８    構造体
９    キャブ
α    距離
β    高さ
【図１】
0005508988.tif 000002
【図２】
0005508988.tif 000003
【図３】
0005508988.tif 000004
【図４】
0005508988.tif 000005
【図５】
0005508988.tif 000006